(57)【要約】【課題】フィンに微細孔や親水性のコーティング層を設けることなく、当該フィンに親水機能を付与して、暖房能力の機能低下を防ぐことを所期課題とする。【解決手段】互いに離間して配置された複数のフィン１を有し、複数のフィン１が、平板状の基材１０からなり、基材１０の対向面１１にエンボス加工が施されて複数の凹凸１２が設けられることにより対向面１１が親水性とされていることを特徴とする。【選択図】図３
2014098499.tif 000002
【特許請求の範囲】
【請求項１】
互いに離間して配置された複数のフィンを有し、
前記複数のフィンが、平板状の基材からなり、
前記基材表面にエンボス加工が施されて複数の凹凸が設けられることにより前記基材表面が親水性とされている熱交換器。
【請求項２】
前記凹凸における互いに隣接する２つの前記凸部間の最大距離が０．５ｍｍ以下である請求項１記載の熱交換器。
【請求項３】
前記基材における水の接触角と、互いに対向する２つの前記フィン間の距離であるフィンピッチと、当該フィンピッチに対する、前記基材表面に付着する水滴の最大許容高さの割合とにより、前記凹凸における互いに隣接する２つの前記凸部間の最大距離が決められる請求項１記載の熱交換器。
【請求項４】
前記基材における水の接触角をθ、前記フィンピッチをＰ、前記フィンピッチＰに対する、前記基材表面に付着する水滴の最大許容高さの割合をＫとした場合に、前記凹凸における互いに隣接する２つの前記凸部間の最大距離Ｌが、次の演算式
Ｌ≦２×ｃｏｓ（θ−９０°）×Ｐ×Ｋ／（１＋ｓｉｎ（θ−９０°））
により決められる請求項３記載の熱交換器。
【請求項５】
前記凸部が、平面視において円形状である請求項１、２、３又は４記載の熱交換器。
【請求項６】
前記凸部が、平面視において矩形状である請求項１、２、３又は４記載の熱交換器。
【請求項７】
前記凸部が、平面視において、互いに対向する２辺が鉛直方向に沿うとともに、他の２辺が傾斜する平行四辺形である請求項１、２、３又は４記載の熱交換器。
【請求項８】
前記凸部が、平面視において千鳥状に配置されている請求項１乃至７の何れか記載の熱交換器。
【請求項９】
前記凸部が、平面視において格子状に配置されている請求項１乃至７の何れか記載の熱交換器。
【請求項１０】
前記凸部の高さが、０．１ｍｍ以上である請求項１乃至９の何れか記載の熱交換器。
【発明の詳細な説明】
【技術分野】
【０００１】
本発明は、親水性を有する複数のフィンを備えた熱交換器に関するものである。
【背景技術】
【０００２】
従来のヒートポンプ式空気調和機においては、低外気温下での暖房運転時に室外機の熱交換器のフィン表面に水滴が付着し、それが凝固して風路を妨げる着霜が生じることがある。この着霜により、除霜運転時間の延長による暖房運転時間の短縮や、風路圧損の増大などにより暖房能力が低下するという問題があった。
【０００３】
このような問題を解決するために、熱交換器のフィンに所定の間隔で多数の微細孔を設け、当該微細孔の稜線に意図的に水滴を発生させ、水滴同士の合体を防ぐことにより、小さな水滴のまま凝固させ、風路圧損を低減するものがある（特許文献１を参照）。
【０００４】
また、熱交換器のフィン表面に親水性のコーティングを施し、このコーティング層に微細凹凸を形成することで、フィン表面の親水性を高め、水滴をフィン表面に沿って迅速に流下排出してフィン表面への着霜を防止するものがある（特許文献２を参照）。
【０００５】
しかしながら、特許文献１に記載された微細孔により水滴同士の合体を防止するものでは、塵又は埃などにより微細孔が目詰まりすることにより、水滴のコントロールができなくなるという問題がある。
【０００６】
また、特許文献２に記載されたコーティング層に微細凹凸を形成するものでは、経年又は環境条件などの影響により、コーティング層の微細凹凸が消失する場合や、コーティング層自体が消失するなどしてフィン表面が親水性を失うという問題がある。
【先行技術文献】
【特許文献】
【０００７】
【特許文献１】特開２０１１−２０８９３５号公報
【特許文献２】特開２００２−９００８４号公報
【発明の概要】
【発明が解決しようとする課題】
【０００８】
そこで本発明は、フィンに微細孔や親水性のコーティング層を設けることなく、当該フィンに親水機能を付与して、暖房能力の機能低下を防ぐことを所期課題とする。
【課題を解決するための手段】
【０００９】
すなわち本発明に係る熱交換器は、互いに離間して配置された複数のフィンを有し、前記複数のフィンが、平板状の基材からなり、前記基材表面にエンボス加工が施されて複数の凹凸が設けられることにより前記基材表面が親水性とされていることを特徴とする。
【００１０】
このようなものであれば、熱交換器のフィンを形成する基材そのものの表面に複数の凹凸が設けられ、コーティング層などを設けずに前記基材表面が親水性とされていることにより、経年又は環境条件などの影響による親水機能の低下を防止することができる。また、微細孔を設けずに、複数の凹凸を設けていることにより、目詰まりなどによる親水機能の低下を防止できる。したがって、前記フィン表面への着霜による風路圧損を恒久的に低減できることともに、着霜による影響が小さくなるため、通常運転の延長及び除霜運転時間の短縮が可能になり、暖房能力の低下を防止することができる。
【００１１】
前記凹凸における互いに隣接する２つの前記凸部間の最大距離が０．５ｍｍ以下であることが望ましい。これならば、前記フィンの親水性をより高めることができる。
【００１２】
前記基材における水の接触角と、互いに対向する２つの前記フィン間の距離であるフィンピッチと、当該フィンピッチに対する、前記基材表面に付着する水滴の最大許容高さの割合とにより、前記凹凸における互いに隣接する２つの前記凸部間の最大距離が決められることが望ましい。これならば、それぞれの使用環境に応じて前記凸部間の最大距離を最適な設定とすることができ、前記フィンの親水性を高めることができる。
【００１３】
具体的には、前記基材における水の接触角をθ、前記フィンピッチをＰ、前記フィンピッチＰに対する、前記基材表面に付着する水滴の最大許容高さの割合をＫとした場合に、前記凹凸における互いに隣接する２つの前記凸部間の最大距離Ｌが、次の演算式
Ｌ≦２×ｃｏｓ（θ−９０°）×Ｐ×Ｋ／（１＋ｓｉｎ（θ−９０°））
により決められることが考えられる。
【００１４】
前記凸部が、平面視において円形状であれば、排水時に前記凸部による水の滞留を防止し、滞留した水が凝固して風路圧損を増大させることを防止できる。
【００１５】
前記凸部が、平面視において矩形状であれば、前記凸部の形状又は配置により前記フィンに付着した水の排水経路を決めることができ、排水の集中を防ぐなど、水同士の合体を防止して、大きな水滴が凝固して風路圧損を増大させることを防止できる。
【００１６】
熱交換器に対して風を送る送風機が設けられている場合などにおいて、送風及び重力によるベクトル方向に排水を流れ易くするためには、前記凸部が、平面視において、互いに対向する２辺が鉛直方向に沿うとともに、他の２辺が傾斜する平行四辺形であることが望ましい。
【００１７】
前記基材表面において隙間の無いように効率よく親水性とするための形態として、前記凸部が、平面視において千鳥状に配置されていることが望ましい。
【００１８】
前記基材表面において隙間の無いように効率よく親水性とするための形態として、前記凸部が、平面視において格子状に配置されていることが望ましい。
【００１９】
前記凸部の高さが、０．１ｍｍ以上であることが望ましい。これならば、より確実に前記フィンの親水性を高めることができる。
【発明の効果】
【００２０】
このように構成した本発明によれば、熱交換器のフィンを形成する基材そのものの表面に複数の凹凸が設けられ、コーティング層などを設けずに前記基材表面が親水性とされていることにより、経年又は環境条件などの影響による親水機能の低下を防止することができる。また、微細孔を設けずに、複数の凹凸を設けていることにより、目詰まりなどによる親水機能の低下を防止できる。したがって、前記フィン表面への着霜による風路圧損を恒久的に低減できることともに、着霜による影響が小さくなるため、通常運転の延長及び除霜運転時間の短縮が可能になり、暖房能力の低下を防止することができる。
【図面の簡単な説明】
【００２１】
【図１】本発明の一実施形態に係る熱交換器を示す模式図。
【図２】本発明の一実施形態に係る熱交換器を示す正面図。
【図３】本発明の一実施形態に係るフィン表面の断面図。
【図４】本発明の一実施形態に係る凸部の配置を示す平面図。
【図５】本発明の一実施形態に係る凸部距離設定を示す拡大断面図。
【図６】本発明の一実施形態に係る凸部の形状を示す拡大断面図。
【図７】本発明の一実施形態に係る通常運転及び除霜運転における暖房能力を示すグラフ。
【図８】本発明の変形実施形態に係る凸部の配置を示す平面図。
【図９】本発明の変形実施形態に係る凸部の形状及び配置を示す平面図。
【図１０】本発明の変形実施形態に係る凸部の形状を示す平面図。
【発明を実施するための形態】
【００２２】
以下に本発明に係る熱交換器の一実施形態について図面を参照して説明する。
【００２３】
本実施形態に係る熱交換器１００は、例えば空気調和機の室外熱交換器として用いられるものである。
【００２４】
この熱交換器１００は、図１及び図２に示すように、冷媒と空気の熱交換効率を高めるための複数のフィン１と、このフィン１と熱的に接続され、内部流路に冷媒が流通する冷媒流通管２とを有するものである。なお、冷媒流通管２は、冷凍サイクル流路と接続されるものである。
【００２５】
この複数のフィン１は、図１及び図２に示すように、平板状をなし、アルミ、銅などの熱伝導性の良い金属で構成された基材１０からなり、互いに隣り合うフィン１の基材１０の表面のうち、互いに対向する対向面１１が略平行になるとともに、互いに離間して配置されている。
【００２６】
対向面１１には、図３に示すように、エンボス加工が施されており、複数の凸部１２ａ及び複数の凹部１２ｂからなる凹凸１２が設けられている。この複数の凹凸１２により、対向面１１は親水性とされている。
【００２７】
凸部１２ａは、図４に示すように、平面視において円形状であり、千鳥状に配置されている。ここで、互いに隣接する２つの凸部１２ａ間の凸部間距離Ｌは、対向面１１における水滴の幅Ｗ以下となるように設定する。この水滴の幅Ｗは、図５に示すような、対向面１１における水の接触角θと、隣り合う２つのフィン１間の離間距離であるフィンピッチＰと、フィンピッチＰに対する対向面１１に付着する水滴の最大許容高さＨの割合Ｋとにより決められる。
【００２８】
具体的には、水滴の半径をｒとすると、
Ｗ＝２×ｃｏｓ（θ−９０°）×ｒ
Ｈ＝ｒ×１＋ｓｉｎ（θ−９０°）
となり、Ｈの式をＷの式に代入すると、
Ｗ＝２×ｃｏｓ（θ−９０°）×Ｈ／（１＋ｓｉｎ（θ−９０°））
となる。ここで、水滴の最大許容高さＨは、フィンピッチＰと、フィンピッチＰに対する対向面１１に付着する水滴の最大許容高さＨの割合Ｋにより決められるため、
Ｈ＜Ｐ×Ｋ
これを上記の式に代入して、
Ｗ＝２×ｃｏｓ（θ−９０°）×Ｐ×Ｋ／（１＋ｓｉｎ（θ−９０°））
ここで、
Ｌ≦Ｗ
であるから、Ｌは、次の演算式
Ｌ≦２×ｃｏｓ（θ−９０°）×Ｐ×Ｋ／（１＋ｓｉｎ（θ−９０°））
により決められる。
【００２９】
ここで、水の接触角θを１１０°、フィンピッチＰを１．７ｍｍ、水滴の最大許容高さ割合Ｋを１／５と設定した場合には、凸部１２ａ間の凸部間距離Ｌは、０．４７ｍｍと決まる。
【００３０】
また、図６に示すような、凸部１２ａの直径Ｄ及び高さＴの具体的な設定としては、凸部直径Ｄを０．５ｍｍ、凸部高さＴを０．１ｍｍとしてある。本実施形態では、凸部１２ａは千鳥状に配置されているため、凸部１２ａ同士の横ピッチ及び縦ピッチが凸部間距離Ｌとなる。
【００３１】
このような熱交換器１００であれば、熱交換器１００のフィン１を形成する基材１０自体の対向面１１に複数の凹凸１２が設けられ、この凹凸１２により対向面１１が親水性とされているので、環境条件又は経年による親水機能の低下を防止することができる。また、微細孔を設けずに、凹凸１２を設けていることにより、目詰まりなどによる対向面１１の親水機能の低下を防止できる。したがって、恒久的にフィン１の表面への着霜による風路圧損を低減して暖房能力の低下を防止できる。
【００３２】
具体的な効果としては、本実施形態の熱交換器１００は、結露時において、対向面１１に凹凸１２を設けていないものに比べて、熱伝導率が１．０〜１．３倍程向上するとともに、風路圧損に関しても、０．８〜０．８５倍程に低減される。
【００３３】
このように、本実施形態では、着霜による風路圧損の影響が小さくなるため、従来の空気調和機において着霜を除去するために通常運転を停止して行われていた除霜運転の時間を短縮することができる。具体的には、図７に示すように、通常運転Ｓ１の時間を延長し、除霜運転Ｓ２の時間を短縮することができる。これならば、通常運転Ｓ１の時間を延長することにより暖房効果を高めるとともに、除霜運転Ｓ２の際に発生する暖房能力低下を低減することができる。
【００３４】
さらに、凸部１２ａが平面視において円形状としており、排水経路が固定されていないので、冷媒流通管２のカラー部や、切り起こし部などで排水経路が遮断される場合でも、排水が滞留することなく、スムーズに排水することができる。
【００３５】
なお、本発明は前記実施形態に限られるものではない。例えば、凸部１２ａの高さが、０，１ｍｍ以上であれば、より確実に対向面１１を親水性とすることができる。
【００３６】
図８に示すように、凸部１２ａが、平面視において格子状に配置されているものでも良い。これらば、対向面１１において隙間の無いように効率よく凸部１２ａを配置することができ、対向面１１を効率良く親水性とすることができる。
【００３７】
図９に示すように、凸部１２ａが、平面視において、互いに対向する２辺が鉛直方向に沿うとともに、他の２辺が鉛直方向に対して４５°の角度で風下方向下方に傾斜する平行四辺形であるものでも良い。これならば、熱交換器に対して風を送る送風機が設けられている場合などにおいて、送風及び重力により、送風の風下方向及び鉛直方向を合成した斜め下方向に排水を流れ易くすることができ、排水性を向上させることができる。
【００３８】
図１０に示すように、凸部１２ａが、平面視において矩形状でも良い。これならば、凸部１２ａの形状及び配置によりフィン１に付着した水の排水経路を決めることができ、排水の集中を防ぐなど、水同士の合体を防止して、大きな水滴が凝固して風路圧損を増大させることを防止できる。
【００３９】
その他、本発明は前記実施形態に限られず、その趣旨を逸脱しない範囲で種々の変形が可能であるのは言うまでもない。
【符号の説明】
【００４０】
１００・・・熱交換器
１  ・・・フィン
１０  ・・・基材
１１  ・・・対向面
１２  ・・・凹凸
１２ａ・・・凸部
１２ｂ・・・凹部
Ｌ    ・・・凸部間距離
Ｗ    ・・・水滴の幅
θ    ・・・水の接触角
Ｐ    ・・・フィンピッチ
Ｈ    ・・・水滴の最大許容高さ
Ｋ    ・・・フィンピッチに対する水滴の最大許容高さ割合
Ｄ    ・・・凸部直径
Ｔ    ・・・凸部高さ
Ｓ１  ・・・通常運転
Ｓ２  ・・・除霜運転
２    ・・・冷媒流通管
【図１】
2014098499.tif 000003
【図２】
2014098499.tif 000004
【図３】
2014098499.tif 000005
【図４】
2014098499.tif 000006
【図５】
2014098499.tif 000007
【図６】
2014098499.tif 000008
【図７】
2014098499.tif 000009
【図８】
2014098499.tif 000010
【図９】
2014098499.tif 000011
【図１０】
2014098499.tif 000012